(57)【要約】【課題】上下に積み重ねたときに、係合してずれることがなく、積み重ねた上の箱を持ち上げるときに指が掛かりやすく、つぶれにくい包装箱を提供する。【解決手段】対向する前後側面板１、２と、対向する左右側面板３、４とからなる筒状の箱本体の前後側面板に、上端開口を閉じる天内蓋５、５が、また左右側面板の上端に、組立時に天内蓋の左右両側部を押さえる天外蓋６、６が、それぞれ連設され、天外蓋は、組立時に天内蓋の上面より上方へ肉厚相当分だけ突出して係合用突部を形成し、一方、左右側面板の下端に底内蓋７、７が、また前後側面板の下端に天外蓋８、８が連設され、底外蓋の左右両側部は、天外蓋の平面形状に対応するように切除され、この切除部９、９が係合用凹部を形成し、天内蓋には、組立時に天外蓋の根元側が当たらず、先端側が上方へ突出すように切欠き１０が設けられている。【選択図】図１
2016030640.tif 000002
【特許請求の範囲】
【請求項１】
対向する前後側面板と対向する左右側面板とからなる筒状の箱本体の前記前後側面板に、上端開口を閉じる天内蓋が、また、前記左右側面板の上端に、組立時に前記天内蓋の左右両側部を押さえる天外蓋が、それぞれ連設され、前記天外蓋は、組立時に前記天内蓋の上面より上方へ肉厚相当分だけ突出して係合用突部を形成し、一方、前記左右側面板の下端に底内蓋が、また前記前後側面板の下端に底外蓋が連設され、前記底外蓋の左右両側部は、前記天外蓋の平面形状に対応するように切除され、この切除部が係合用凹部を形成し、前記天内蓋には、組立時に前記天外蓋の根元側が当たらず、先端側が上方へ突出すように切欠きが設けられていることを特徴とする包装箱。
【請求項２】
前記天内蓋には、その左右の長さが前記前後側面板の左右の長さより、長く形成された押し込み防止部が、少なくとも部分的に設けられていることを特徴とする請求項１に記載の包装箱。
【発明の詳細な説明】
【技術分野】
【０００１】
本発明は、包装箱に関するものである。特に積み重ねたときに、上下の包装箱がずれないようにした包装箱に関するものである。
【背景技術】
【０００２】
食品、あるいは非食品でも、包装箱に収納されるものが多くある。これらの商品の収納された包装箱は、流通でのトラック輸送や、店舗から消費者に配達、あるいは消費者が持ち帰る場合でも、積み重ねられて運ばれることがしばしばある。このように運ばれる際に積み重ねた状態で、ずれにくくした包装箱が開発されている。
【０００３】
例えば、前後、左右側面板からなる箱本体のうちの前後側面板に、下端開口を閉じる下蓋部材が、また左右側面板の下端に、組立時に上記下蓋部材の左右両側部を支える支え片が、それぞれ連成され、支え片は組立時に下蓋部材の下面より下方へ肉厚相当分だけ突出して係合用突部を形成し、一方左右側面板の上端の少なくともいずれか一方に、内上蓋部材が、また前後側面板の上端に、外上蓋部材が連成され、外上蓋部材の左右両側部は、支え片の平面形状に対応するように切除され、この切除部が係合用凹部を形成している包装箱がある（特許文献１）。
【０００４】
この包装箱は、係合用突部と係合用凹部が係合しているので、水平方向にずれることがない。このため、重ねた上の箱を持ち上げようとしても、ずらして手をかけることが出来ず、また、そのままで指を掛けることも出来ず、持ち上げにくい。
【０００５】
また、組立時に支え片を下蓋部材に重なるように倒すと、下蓋部材が箱本体の中に押し込まれる恐れがある。また、支え片や下蓋部材が底面側に設けられているので、平坦な床面においたときは、特にこの恐れがあり、包装箱自体がつぶれてしまう懸念がある。
【０００６】
公知文献を以下に示す。
【先行技術文献】
【特許文献】
【０００７】
【特許文献１】実開昭５９−１２６９２１号公報
【発明の概要】
【発明が解決しようとする課題】
【０００８】
本発明は上記した事情に鑑みてなされたもので、上下に積み重ねたときに、係合してずれることがなく、積み重ねた上の箱を持ち上げるときに指が掛かりやすく、つぶれにくい包装箱を提供することを課題としている。
【課題を解決するための手段】
【０００９】
本発明は係る課題に鑑みなされたものであり、請求項１の発明は、対向する前後側面板と対向する左右側面板とからなる筒状の箱本体の前記前後側面板に、上端開口を閉じる天内蓋が、また、前記左右側面板の上端に、組立時に前記天内蓋の左右両側部を押さえる天外蓋が、それぞれ連設され、前記天外蓋は、組立時に前記天内蓋の上面より上方へ肉厚相当分だけ突出して係合用突部を形成し、一方、前記左右側面板の下端に底内蓋が、また前記前後側面板の下端に底外蓋が連設され、前記底外蓋の左右両側部は、前記天外蓋の平面形状に対応するように切除され、この切除部が係合用凹部を形成し、前記天内蓋には、組立時に前記天外蓋の根元側が当たらず、先端側が上方へ突出すように切欠きが設けられて
いることを特徴とする包装箱である。
【００１０】
本発明の請求項２の発明は、前記天内蓋には、その左右の長さが前記前後側面板の左右の長さより、長く形成された押し込み防止部が、少なくとも部分的に設けられていることを特徴とする請求項１に記載の包装箱である。
【発明の効果】
【００１１】
本発明の包装箱は、上下に積み重ねたときに、係合してずれることがなく、積み重ねた上の箱を持ち上げるときに指が掛かりやすく、また、つぶれにくい。
【図面の簡単な説明】
【００１２】
【図１】本発明の包装箱の一例を積み重ねる際の上位の包装箱の底面と下位の包装箱の天面とを示す説明図である。
【図２】本発明の包装箱の一例の積み重ねた部分の説明図である。
【図３】本発明の包装箱の一例のブランクを示した説明図である。
【図４】本発明の包装箱の一例を組み立てる方法を示した説明図である。
【発明を実施するための形態】
【００１３】
以下、本発明を実施するための形態につき説明する。
図１は、本発明の包装箱の一例を積み重ねる際の上位の包装箱の底面と下位の包装箱の天面とを示す説明図、図２は、本発明の包装箱の一例の積み重ねた部分の説明図である。
【００１４】
本例の包装箱１００は、図１のように、対向する前側面板１、後側面板２（図１では見えない）と、対向する左側面板３、右側面板４（図１では見えない）とで筒状の箱本体が形成されている。
【００１５】
箱本体の前側面板１と後側面板２の上端に、上端開口を閉じる天内蓋５、５が、また左側面板３、右側面板４の上端に、組立時に天内蓋５、５の左右両側部を押さえる天外蓋６、６が、それぞれ連設されていて、天外蓋６、６の先端寄りは、天内蓋５、５の上面より上方へ肉厚相当分だけ突出して係合用突部を形成している。
【００１６】
一方、左側面板３、右側面板４の下端には底内蓋７、７が連設され、箱本体の下端開口を閉じるように内方に倒され、また前側面板１と後側面板２の下端に底外蓋８、８が連設されていて、底内蓋７、７に重なるように内方に倒されている。そして、底外蓋８、８の左右両側部は、天外蓋６、６の平面形状に対応するように切除され、この切除部９、９が係合用凹部を形成している。
【００１７】
また、天内蓋５、５には、組立時に天外蓋６、６の根元側が当たらず、天外蓋６、６の先端側が入らないように、すなわち、先端側は、天内蓋５、５の上面より上方へ肉厚相当分だけ突出すように、切欠き１０が設けられている。
【００１８】
このように切欠き１０が設けられているので、図２の積み重ねた部分の説明図のように、上位の包装箱１００の切除部９が形成する係合用凹部に、下位の包装箱１００の天外蓋６が形成する係合用突部が係合されたとき、天内蓋５に設けられた切欠き１０に、天外蓋６の根元側が入り込み、上位の包装箱１００の底内蓋７と下位の包装箱１００の天外蓋６の根元側との間に、隙間１１が形成される。
【００１９】
積み重ねたときに隙間１１が形成されるので、積み重ねた上位の包装箱１００を取るときに、この隙間１１に指を差し込んで持ち上げれば、上位の包装箱１００と下位の包装箱１００の係合を外して、下位の包装箱１００から上位の包装箱１００を取り上げることが
できる。
【００２０】
このように、上下に積み重ねたときには、上位の包装箱１００の係合用凹部に、下位の包装箱１００の係合用突部が係合してずれることがなく、積み重ねた上位の包装箱１００を持ち上げるときには、隙間１１により指が掛かりやすい。また、切欠き１０により、組み立て時に、天内蓋５、５の上に天外蓋６、６を倒しても、天内蓋５、５が箱本体の中に落ち込むことが防がれ、つぶれにくい。
【００２１】
この包装箱１００は、図３に示す、ブランク１０１より製函される。
ブランク１０１は、左から後側面板２、左側面板３、前側面板１、右側面板４が連設されている。また、後側面板２の左側には、箱本体を筒状に形成するための貼着片ａが設けられている。
【００２２】
後側面板２と前側面板１の上端には天内蓋５、５が設けられ、左側面板３と右側面板４の上端には天外蓋６、６が設けられている。天内蓋５、５は、図の縦方向の長さが、製函したときに、それぞれの先端が突合せになるように、形成されている。
【００２３】
また、天内蓋５、５には、横方向の長さが部分的に後側面板２と前側面板１の横方向（左右）の長さより、長く形成された押し込み防止部ｂが、少なくとも部分的に設けられている。この押し込み防止部ｂが設けてあるので、天内蓋５、５が上から押されても、箱本体の中に落ち込みにくくなり、ひいては、包装箱１００が座屈するのを防いでいる。そして、天内蓋５、５には、上端の左右に切欠き１０が設けられている。
【００２４】
天外蓋６、６は、左側面板３、右側面板４の上端の左右中央より上方に伸びて設けられている。本例では天外蓋６、６の形状は略長方形になっているが、これに限定されず、台形や逆台形になっていてもよい。
【００２５】
天外蓋６、６と左側面板３や右側面板４との接続部は容易に切れない程度の長さがあればよい。また、この長さは切欠き１０の形状に影響するので、左側面板３や右側面板４の幅の三分の一以下、五分の一以上であることが好ましい。
【００２６】
また、図の縦方向の長さも、安定して係合させること、天内蓋５、５をしっかり抑えることが重要であるので、天内蓋５、５の横方向の長さの三分の一以下、六分の一以上であることが好ましい。
【００２７】
切欠き１０は、天外蓋６、６の形状に合わせ、天外蓋６、６の根元部分が入り込むように、天外蓋６、６の先端部分が落ち込まないよう形成すればよい。
【００２８】
前側面板１と後側面板２の下端には底外蓋８、８が設けられ、左側面板３と右側面板４の下端には底内蓋７、７が設けられている。底外蓋８、８は、図の縦方向の長さが、製函したときに、それぞれの先端が略突合せになるように形成されている。また、底外蓋８、８の左右両側部は、天外蓋６、６の平面形状に対応するように切除された切除部９、９が係合用凹部を形成している。
【００２９】
底内蓋７、７は、横方向の長さが、左側面板３や右側面板４の横方向の長さと同じか、やや短く形成され、縦方向の長さは、製函したときに、それぞれの先端が略突合せになるように形成されている。
【００３０】
包装箱１００を組み立てるには、まず、このブランク１０１の貼着片ａ、後側面板２、左側面板３、前側面板１、右側面板４の間の折罫をそれぞれ内方に折り、右側面板４の内
面側の右端部に、貼着片ａの外面側を、ホットメルトなどの接着剤で貼着し、筒状の箱本体を形成する。
【００３１】
次に、底内蓋７、７を内方に倒し、その外面上に底外蓋８、８を重なるように倒し、底面を封緘する。封緘は、ホットメルトなどの接着剤を用いて、底内蓋７、７の外面と底外蓋８、８の内面を接着してもよいし、底外蓋８、８の突合せ部分に接着するように、左側面板３から右側面板４に架けて封緘用テープを貼ってもよい。
【００３２】
次に、天内蓋５、５を内方に倒すと、図４のように、天外蓋６、６が上に突き出るようになるので、天内蓋５、５の外面上に天外蓋６、６を重なるように倒し、天面を封緘する。封緘は、ホットメルトなどの接着剤を用いて、天内蓋５、５の外面と天外蓋６、６の内面を接着してもよいし、天内蓋５、５の突合せ部分に接着するように、左側面板３から右側面板４に架けて、天外蓋６、６を抑えるように封緘用テープを貼ってもよい。
【００３３】
以上のようにして、包装箱１００は製函することができる。
製函された包装箱１００は、輸送や保管のため積み重ねられる。このとき、上位の包装箱１００の底面の係合用凹部と、下位の包装箱１００の天面の係合用突部が係合され、ずれることがなく、安定して積み重ねておくことができる。
【００３４】
積み重ねた上位の包装箱１００を取るときには、積み重ねたときに隙間１１が形成されているので、この隙間１１に容易に指を差し込んで持ち上げることができる。そして、上位の包装箱１００と下位の包装箱１００の係合を外して、下位の包装箱１００から上位の包装箱１００を取り上げることができる。また、切欠き１０により、組み立て時に、天内蓋５、５の上に天外蓋６、６を倒しても、天内蓋５、５が箱本体の中に落ち込むことが防がれ、包装箱１００がつぶれにくい。
【００３５】
またさらに、天内蓋５、５には、横方向の長さが部分的に後側面板２と前側面板１の横方向（左右）の長さより、長く形成された押し込み防止部ｂが設けてあるので、天内蓋５、５が上から押されても、箱本体の中に落ち込みにくくなり、ひいては、包装箱１００が座屈するのを防いでいる。
【符号の説明】
【００３６】
１００・・・包装箱
１０１・・・ブランク
１・・・前側面板
２・・・後側面板
３・・・左側面板
４・・・右側面板
５、５・・・天内蓋
６、６・・・天外蓋
７、７・・・底内蓋
８、８・・・底外蓋
９、９・・・切除部
１０・・・切欠き
１１・・・隙間
ａ・・・貼着片
ｂ・・・押し込み防止部
【図１】
2016030640.tif 000003
【図２】
2016030640.tif 000004
【図３】
2016030640.tif 000005
【図４】
2016030640.tif 000006